(57)【要約】【課題】受信信号が受信すべき信号か否かを判定するための閾値を適切な値に自動調整することが可能な無線装置および無線通信システムを提供する。【解決手段】この無線通信システムでは、第１の無線装置１００から送信された無線変調信号を第２の無線装置１１０で受信する。第２の無線装置１１０は回路１１０Ａで受信信号強度に応じて生成した電圧に基づいて第１の無線装置１００のための閾値信号を生成する。この生成した閾値信号を含む無線変調信号は送信回路１１０Ｂで第１の無線装置１００に送信され、第１の無線装置１００では受信回路１００Ａでこの無線変調信号を受信し復調信号に変換し、この復調信号の中から閾値信号を解読し記憶,保持する。第１の無線装置１００はこの閾値信号に基づいて、受信した無線変調信号が受信すべき信号であるのか否かの受信信号判定を行う。【選択図】図１
2008148018.tif 000002
【特許請求の範囲】
【請求項１】
無線変調信号を送受信する第１の無線装置と、
無線変調信号を送受信する第２の無線装置とを備え、
上記第２の無線装置は、
上記第１の無線装置から送信された無線変調信号を受信すると共に受信した無線変調信号の信号強度に基づいて生成した閾値信号を上記第１の無線装置に送信し、
上記第１の無線装置は、
上記第２の無線装置からの上記閾値信号による閾値情報を記憶すると共に上記閾値情報に基づいて、受信した無線変調信号が受信すべき信号であるのか否かの受信信号判定を行うことを特徴とする無線通信システム。
【請求項２】
請求項１に記載の無線通信システムにおいて、
上記第１の無線装置は、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
上記送信回路へ入力する送信信号を制御すると共に上記受信回路からの復調信号を処理し、かつ、上記受信回路から入力される復調信号が含む上記閾値信号による閾値情報を上記メモリ回路に記憶させる制御部と、
上記メモリ回路から上記閾値情報が入力されると共に上記閾値情報をＤ/Ａ変換して基準信号を生成するＤ/Ａ回路と、
上記受信回路の出力端子からの出力信号と上記Ｄ/Ａ回路からの基準信号とを比較して、この比較結果を表す判定信号を出力するコンパレータとを備えることを特徴とする無線通信システム。
【請求項３】
請求項１に記載の無線通信システムにおいて、
上記第２の無線装置は、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
上記受信回路が出力端子から出力する出力信号に基づいて閾値信号を生成する閾値計算回路と、
上記送信回路へ入力する送信信号を制御すると共に上記受信回路からの復調信号を処理し、かつ、上記閾値計算回路が生成する上記閾値信号を上記送信回路に出力する制御部とを備えることを特徴とする無線通信システム。
【請求項４】
請求項１に記載の無線通信システムにおいて、
上記第２の無線装置は、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
入力された情報に基づいて上限閾値信号と下限閾値信号とを生成して出力する閾値計算回路と、
上記送信回路へ入力する送信信号を制御すると共に上記受信回路からの復調信号を処理し、かつ、上記受信回路の出力端子から入力された出力信号から受信信号強度情報を生成して上記メモリ回路に記憶させると共に上記メモリ回路に所定の複数の受信信号強度情報を記憶させた時に上記メモリ回路にアクセスして上記複数の受信信号強度情報を読み出して上記閾値計算回路に入力すると共に上記閾値計算回路が上記複数の受信信号強度情報に基づいて生成した上限閾値信号と下限閾値信号を上記送信回路に出力する制御部とを備えることを特徴とする無線通信システム。
【請求項５】
請求項１に記載の無線通信システムにおいて、
上記第２の無線装置は、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
入力された情報に基づいて上限閾値信号と下限閾値信号とを生成して出力する閾値計算回路と、
上記送信回路へ入力する送信信号を制御すると共に上記受信回路からの復調信号を処理し、かつ、上記受信回路の出力端子から入力された出力信号から受信信号強度情報を生成して上記メモリ回路に記憶させると共に上記メモリ回路に所定の複数の受信信号強度情報を記憶させた時に上記メモリ回路にアクセスして上記複数の受信信号強度情報を読み出して上記閾値計算回路に入力すると共に上記閾値計算回路が上記複数の受信信号強度情報に基づいて生成した上限閾値信号と下限閾値信号を上記送信回路に出力する制御部と
上記メモリ回路からの上記下限閾値信号と下限閾値信号をＤ/Ａ変換して基準信号を生成するＤ/Ａ回路と、
上記受信回路の出力端子から入力される出力信号と上記Ｄ/Ａ回路から入力される基準信号とを比較して、この比較結果を表す判定信号を出力するコンパレータとを備えることを特徴とする無線通信システム。
【請求項６】
請求項１に記載の無線通信システムにおいて、
上記第１の無線装置を複数備えると共に上記第２の無線装置を少なくとも１つ備え、上記第１の無線装置と上記第２の無線装置とが１対Ｎ(Ｎは自然数)型無線送受信を行い、
上記第２の無線装置は、
上記複数の第１の無線装置が記憶する複数の閾値信号が表す閾値のうちで最小の閾値を表す閾値信号を下限閾値信号とし、上記複数の第１の無線装置が記憶する複数の閾値信号が表す閾値のうちで最大の閾値を表す閾値信号を上限閾値信号とすることを特徴とする無線通信システム。
【請求項７】
請求項１に記載の無線通信システムにおいて、
上記第１の無線装置は、
上記受信信号判定の結果、上記受信した無線変調信号が受信すべき信号ではないと判定した場合、受信動作を停止することを特徴とする無線通信システム。
【請求項８】
無線信号を送受信する一方、受信した閾値信号に基づいて、受信した無線変調信号が受信すべき信号であるのか否かの受信信号判定を行う無線装置であって、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
上記送信回路へ入力する送信信号を制御すると共に上記受信回路からの復調信号を処理し、かつ、上記受信回路から入力される復調信号が含む上記閾値信号による閾値情報を上記メモリ回路に記憶させる制御部と、
上記メモリ回路から上記閾値情報が入力されると共に上記閾値情報をＤ/Ａ変換して基準信号を生成するＤ/Ａ回路と、
上記受信回路の出力端子からの出力信号と上記Ｄ/Ａ回路からの基準信号とを比較して、この比較結果を表す判定信号を出力するコンパレータとを備えることを特徴とする無線装置。
【請求項９】
無線信号を送受信する一方、受信した無線変調信号の信号強度に基づいて生成した閾値信号を送信する無線装置であって、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
上記受信回路が出力端子から出力する出力信号に基づいて閾値信号を生成する閾値計算回路と、
上記送信回路へ入力する送信信号を制御すると共に上記受信回路からの復調信号を処理し、かつ、上記閾値計算回路が生成する上記閾値信号を上記送信回路に出力する制御部とを備えることを特徴とする無線装置。
【発明の詳細な説明】
【技術分野】
【０００１】
この発明は、無線通信システムおよび無線装置に関し、例えば、無線装置の受信した信号が受信すべき信号か否かを判定するための閾値を自動的に適切な値に調整できる無線装置に関する。
【背景技術】
【０００２】
無線装置では、一般にキャリアセンス機能を有しており、受信信号レベルが所定レベル以上であれば、受信信号がキャリア性信号であると判断し、所定レベル以下であればノイズ性信号であると判断するキャリア判定を行う。
【０００３】
しかしながら、従来、キャリア判定するための閾値は、装置内部のボリューム等で一度調整,固定されると、使用者が変更することができないか、または、装置外部の調整つまみ等で使用者がその都度調整する必要があった。この閾値によって受信感度が決まるので、通常は通信したいエリアにおける最小受信レベル以下に閾値を調整する。
【０００４】
このため、無線装置間の距離が近く、受信信号レベルが大きい場合は、受信の閾値レベルと受信信号レベルとの差が大きくなり、調整した閾値が適切な値でなくなってしまうという問題があった。また、無線装置を設置した時に設定した閾値より通信距離を延ばしたい場合でも、閾値を変更することは困難であるという問題がある。
【０００５】
そこで、上記問題を解決する手段として、例えば、特許文献１(特開平７−２０２７３３号)に記載の受信機が提案されている。図１１を参照して、この受信機を簡単に説明する。
【０００６】
この受信機は、ワイヤレス受信機であり、高周波増幅器９０３,混合器９０５,局部発振器９０７,中間周波増幅器９０９,検波回路９１１を備え、アンテナ入力端子９０１から入力して高周波増幅器９０３を経た受信信号をミキサ９０５で局部発振器９０７の局部発振信号と混合して中間周波数信号を生成する。そして、この中間周波数信号を中間周波増幅器９０９を経て検波回路９１１で検波して可聴周波信号を出力する。この可聴周波信号は、緩衝増幅器９１３を経てスケルチ回路９３７のスイッチ部９１５を介して出力端子９３９から出力する。
【０００７】
この受信機のスケルチ回路９３７は、上記受信信号に比例する検出出力を生成する検出回路９２３と、上記受信信号の発生源である送信機がその使用エリア内を移動した状態における上記検出出力の最小値を記憶する最小値記憶回路９２９と、上記検出出力と上記最小値を比較して上記検出出力が上記最小値以上のときに、上記スイッチ部９１５を閉成する制御信号を出力する比較回路９３５を備える。これにより、受信機のスケルチレベルを自動調整することが可能になる。なお、検出回路９２３は、ハイパスフィルタ９１７,ノイズ増幅器９１９,ノイズ検波回路９２１を有する。
【０００８】
しかしながら、上記従来の受信機では、スケルチ回路９３７は、受信状態での最小値を記憶保持するために、積分回路９２５、Ａ／Ｄ回路９２７、最小値記憶回路９２９、加算回路９３１、Ｄ/Ａ回路９３３を有する必要がある。このため、回路規模が大きくなるという問題があった。また、上記従来の受信機では、上記検出出力の最小値を最小値記憶回路９２９に記憶させるために、スケルチレベル自動調整スイッチ(図示せず)をオンにして、上記検出出力の最小値を取り込んだ後にオフにする動作が必要である。したがって、人手を介さなければならず、スケルチレベルを完全に自動調整することはできないという問題があった。
【特許文献１】特開平７−２０２７３３号公報
【発明の開示】
【発明が解決しようとする課題】
【０００９】
そこで、この発明の課題は、受信信号が受信すべき信号か否かを判定するための閾値を適切な値に自動調整することが可能な無線装置および無線通信システムを提供することにある。
【課題を解決するための手段】
【００１０】
上記課題を解決するため、この発明の無線通信システムは、無線変調信号を送受信する第１の無線装置と、無線変調信号を送受信する第２の無線装置とを備え、上記第２の無線装置は、上記第１の無線装置から送信された無線変調信号を受信すると共に受信した無線変調信号の信号強度に基づいて生成した閾値信号を上記第１の無線装置に送信し、
上記第１の無線装置は、上記第２の無線装置からの上記閾値信号による閾値情報を記憶すると共に上記閾値情報に基づいて、受信した無線変調信号が受信すべき信号であるのか否かの受信信号判定を行うことを特徴としている。
【００１１】
この発明の無線通信システムによれば、第１の無線装置は、この第１の無線装置から受信した無線変調信号の信号強度に基づいて第２の無線装置が生成した閾値信号を第２の無線装置から受信する。そして、この第１の無線装置は、受信した無線変調信号が受信すべき信号であるのか否かを、上記閾値信号による閾値情報に基づいて判定する。すなわち、第１の無線装置は、希望する通信相手(第２の無線装置)と、少なくとも１度の無線通信を行うだけで、受信した無線変調信号を受信すべき信号であるか否かを判定するための適切な閾値を自動調整することが可能になる。
【００１２】
また、一実施形態の無線通信システムでは、上記第１の無線装置は、無線変調信号を送受信するアンテナと、受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
上記送信回路へ入力する送信信号を制御すると共に上記受信回路からの復調信号を処理し、かつ、上記受信回路から入力される復調信号が含む上記閾値信号による閾値情報を上記メモリ回路に記憶させる制御部と、
上記メモリ回路から上記閾値情報が入力されると共に上記閾値情報をＤ/Ａ変換して基準信号を生成するＤ/Ａ回路と、
上記受信回路の出力端子からの出力信号と上記Ｄ/Ａ回路からの基準信号とを比較して、この比較結果を表す判定信号を出力するコンパレータとを備える。
【００１３】
この実施形態の無線通信システムによれば、第１の無線装置は、無線通信相手(第２の無線装置)からの受信信号(無線変調信号)を受信回路で受信して復調信号とし、制御部はこの復調信号に含まれる閾値信号による閾値情報をメモリ回路に記憶させる。そして、コンパレータは受信回路の出力端子からの出力信号とメモリ回路からＤ/Ａ回路を経て受けた基準信号とを比較して、この比較結果を表す判定信号を出力する。この比較結果を表す判定信号により、受信回路が受信した無線変調信号が受信すべき信号か否かを判定できる。よって、実施形態によれば、メモリ回路,Ｄ/Ａ回路,コンパレータによる簡易な構成により、受信信号判定を行うことが可能になる。
【００１４】
例えば、この判定信号は、制御部に入力されて、制御部は、上記受信回路の出力端子からの出力信号の強度が基準信号の強度以上である場合には、受信回路が受信した無線変調信号が受信すべき信号であると判定する。一方、上記出力信号の強度が基準信号の強度よりも小さい場合には、制御部は受信回路が受信した無線変調信号が受信すべき信号ではないと判定する。
【００１５】
また、一実施形態の無線通信システムでは、上記第２の無線装置は、無線変調信号を送受信するアンテナと、受信動作と送信動作を切り替える切り替えスイッチと、上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
上記受信回路が出力端子から出力する出力信号に基づいて閾値信号を生成する閾値計算回路と、
上記送信回路へ入力する送信信号を制御すると共に上記受信回路からの復調信号を処理し、かつ、上記閾値計算回路が生成する上記閾値信号を上記送信回路に出力する制御部とを備える。
【００１６】
この実施形態の無線通信システムによれば、第２の無線装置の閾値計算回路は受信回路が出力端子から出力する出力信号に基づいて閾値信号を生成するので、閾値計算回路を設けるだけの簡易な回路構成で無線通信相手(第１の無線装置)の受信信号を判定する閾値信号を生成することが可能になる。
【００１７】
また、一実施形態の無線通信システムでは、上記第２の無線装置は、無線変調信号を送受信するアンテナと、受信動作と送信動作を切り替える切り替えスイッチと、上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
入力された情報に基づいて上限閾値信号と下限閾値信号とを生成して出力する閾値計算回路と、
上記送信回路へ入力する送信信号を制御すると共に上記受信回路からの復調信号を処理し、かつ、上記受信回路の出力端子から入力された出力信号から受信信号強度情報を生成して上記メモリ回路に記憶させると共に上記メモリ回路に所定の複数の受信信号強度情報を記憶させた時に上記メモリ回路にアクセスして上記複数の受信信号強度情報を読み出して上記閾値計算回路に入力すると共に上記閾値計算回路が上記複数の受信信号強度情報に基づいて生成した上限閾値信号と下限閾値信号を上記送信回路に出力する制御部とを備える。
【００１８】
この実施形態の無線通信システムによれば、上記第２の無線装置は、送受信信号を処理する制御部を利用して、メモリ回路と閾値計算回路とを付加するだけの簡易な構成により、上限閾値信号と下限閾値信号を生成して、送信回路に出力することが可能になる。よって、より適切な受信すべき信号であるのか否かを判定する基準となる閾値信号の上限と下限の範囲を自動調整することが可能になる。
【００１９】
また、一実施形態の無線通信では、上記第２の無線装置は、無線変調信号を送受信するアンテナと、受信動作と送信動作を切り替える切り替えスイッチと、上記アンテナで受信した無線変調信号を復調信号に変換すると共に上記受信した無線変調信号のレベルに応じた出力信号を出力する出力端子を有する受信回路と、送信信号を無線変調信号に変換して上記アンテナに送信する送信回路と、
メモリ回路と、入力された情報に基づいて上限閾値信号と下限閾値信号とを生成して出力する閾値計算回路と、
上記送信回路へ入力する送信信号を制御すると共に上記受信回路からの復調信号を処理し、かつ、上記受信回路の出力端子から入力された出力信号から受信信号強度情報を生成して上記メモリ回路に記憶させると共に上記メモリ回路に所定の複数の受信信号強度情報を記憶させた時に上記メモリ回路にアクセスして上記複数の受信信号強度情報を読み出して上記閾値計算回路に入力すると共に上記閾値計算回路が上記複数の受信信号強度情報に基づいて生成した上限閾値信号と下限閾値信号を上記送信回路に出力する制御部と
上記メモリ回路からの上記下限閾値信号と下限閾値信号をＤ/Ａ変換して基準信号を生成するＤ/Ａ回路と、
上記受信回路の出力端子から入力される出力信号と上記Ｄ/Ａ回路から入力される基準信号とを比較して、この比較結果を表す判定信号を出力するコンパレータとを備える。
【００２０】
この実施形態の無線通信システムによれば、上記第２の無線装置は、送受信信号を処理する制御部を利用して、メモリ回路と閾値計算回路とを付加するだけの簡易な構成により、上限閾値信号と下限閾値信号を生成して、送信回路に出力することが可能になる。その上、上記第２の無線装置の無線通信相手(第１の無線装置)に送信する上限および下限の閾値信号をメモリ回路に記憶,保持し、Ｄ/Ａ回路,コンパレータの構成を追加するだけで、通信相手(第１の無線装置)に送信する上限,下限の閾値信号を自身の受信信号判定のための基準として利用することが可能になる。
【００２１】
また、一実施形態の無線通信システムは、上記第１の無線装置を複数備えると共に上記第２の無線装置を少なくとも１つ備え、上記第１の無線装置と上記第２の無線装置とが１対Ｎ(Ｎは自然数)型無線送受信を行い、
上記第２の無線装置は、上記複数の第１の無線装置が記憶する複数の閾値信号が表す閾値のうちで最小の閾値を表す閾値信号を下限閾値信号とし、上記複数の第１の無線装置が記憶する複数の閾値信号が表す閾値のうちで最大の閾値を表す閾値信号を上限閾値信号とする。
【００２２】
この実施形態の無線通信システムによれば、第２の無線装置は、受信信号の信号強度が下限閾値信号による最小の閾値と上限閾値信号による最大の閾値との間の値であるときに、受信信号を受信すべき信号であると判定することが可能になる。よって、第２の無線装置は、受信信号判定のために記憶している閾値信号が表す閾値が異なる複数の端末(第１の無線装置)を有する１対Ｎ型無線通信システムにおいて、誤りのない受信信号判定を行うことが可能になる。
【００２３】
また、一実施形態の無線通信システムでは、上記第１の無線装置は、上記受信信号判定の結果、上記受信した無線変調信号が受信すべき信号ではないと判定した場合、受信動作を停止する。
【００２４】
この実施形態の無線通信システムによれば、受信信号判定により希望の通信相手でないと判断した場合は、無線装置を停止することが可能になり、省電力化が実現される。
【００２５】
また、一実施形態の無線装置は、無線信号を送受信する一方、受信した閾値信号に基づいて、受信した無線変調信号が受信すべき信号であるのか否かの受信信号判定を行う無線装置であって、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
メモリ回路と、
上記送信回路へ入力する送信信号を制御すると共に上記受信回路からの復調信号を処理し、かつ、上記受信回路から入力される復調信号が含む上記閾値信号による閾値情報を上記メモリ回路に記憶させる制御部と、
上記メモリ回路から上記閾値情報が入力されると共に上記閾値情報をＤ/Ａ変換して基準信号を生成するＤ/Ａ回路と、
上記受信回路の出力端子からの出力信号と上記Ｄ/Ａ回路からの基準信号とを比較して、この比較結果を表す判定信号を出力するコンパレータとを備える。
【００２６】
また、一実施形態の無線装置は、無線信号を送受信する一方、受信した無線変調信号の信号強度に基づいて生成した閾値信号を送信する無線装置であって、
無線変調信号を送受信するアンテナと、
受信動作と送信動作を切り替える切り替えスイッチと、
上記アンテナで受信した無線変調信号を復調信号に変換すると共に上記受信した無線変調信号のレベルに応じた出力信号を出力する出力端子を有する受信回路と、
送信信号を無線変調信号に変換して上記アンテナに送信する送信回路と、
上記受信回路が出力端子から出力する出力信号に基づいて閾値信号を生成する閾値計算回路と、
上記送信回路へ入力する送信信号を制御すると共に上記受信回路からの復調信号を処理し、かつ、上記閾値計算回路が生成する上記閾値信号を上記送信回路に出力する制御部とを備える。
【発明の効果】
【００２７】
この発明の無線通信システムによれば、第１の無線装置は、この第１の無線装置から受信した信号強度に基づいて第２の無線装置が生成した閾値信号をこの第２の無線装置から受信して、この第１の無線装置は、受信した無線変調信号が受信すべき信号であるのか否かを、上記閾値信号に基づいて判定する。すなわち、第１の無線装置は、希望する通信相手(第２の無線装置)と、少なくとも１度の無線通信を行うだけで、受信信号を受信すべき信号であるか否かを判定するための適切な閾値を自動調整することが可能になる。
【発明を実施するための最良の形態】
【００２８】
以下、この発明を図示の実施の形態により詳細に説明する。
【００２９】
(第１の実施の形態)
図１に、この発明の第１実施形態としての無線通信システムを示す。この無線通信システムは、無線変調信号を送受信する第１の無線装置１００と、無線変調信号を送受信する第２の無線装置１１０とを備える。
【００３０】
第２の無線装置１１０は、第１の無線装置１００から送信された送信信号を受信すると共に受信した信号の信号強度に基づいて生成した閾値信号を第１の無線装置１００に送信する。第１の無線装置１００は、第２の無線装置１１０からの上記閾値信号による閾値情報を記憶すると共に上記閾値情報に基づいて、受信した無線変調信号が受信すべき信号であるのか否かの受信信号判定を行う。
【００３１】
この無線通信システムでは、図１に示すように、第１の無線装置１００からアンテナ１を介して送信された無線変調信号を、アンテナ１０を介して第２の無線装置１１０で受信する。第２の無線装置１１０内では、受信信号強度に応じた電圧を生成する回路１１０Ａが設けられており、この回路１１０Ａが生成する電圧に基づいて、第１の無線装置１００のための閾値信号を生成する。この生成した閾値信号を第２の無線装置１１０内の送信回路１１０Ｂに送り、この閾値信号を含む無線変調信号を、アンテナ１０を介して第１の無線装置１００に送信する。
【００３２】
この無線変調信号を、アンテナ１を介して第１の無線装置１００で受信する。この受信した無線変調信号を第１の無線装置１００内にある受信回路１００Ａで復調信号に変換する。第１の無線装置１００は、この復調信号の中から閾値信号による閾値情報を解読し、記憶,保持する。この閾値情報に基づいて、受信した無線変調信号が受信すべき信号であるのか否かの受信信号判定を行う。
【００３３】
ここで、第１の無線装置１００から送信された無線変調信号を、第２の無線装置１１０で受信した時の受信信号強度が、第１の無線装置１００の受信信号判定の閾値として用いることが可能な理由を以下に説明する。
【００３４】
第１の無線装置１００から無線送信し、第２の無線装置１１０にて受信する場合、第２の無線装置１１０における受信電力をＰｒ２とすると、この受信電力Ｐｒ２は次式(１)で表せる。ただし、式(１)において、アンテナ１のアンテナ利得をＧ１、アンテナ１０のアンテナ利得をＧ２、空間伝搬損失をＬ、第１の無線装置１００の送信出力をＰｔ１とする。
Ｐｒ２＝Ｐｔ１＋Ｇ１−Ｌ＋Ｇ２      … (１)
【００３５】
次に、第２の無線装置１１０から無線送信し、第１の無線装置１００にて受信する場合、第１の無線装置１００における受信電力をＰｒ１とすると、この受信電力Ｐｒ１は次式(２)で表せる。ただし、式(２)において、アンテナ１のアンテナ利得をＧ１、アンテナ１０のアンテナ利得をＧ２、空間伝搬損失をＬ、第２の無線装置１１０の送信出力をＰｔ２とする。
Ｐｒ１＝Ｐｔ２＋Ｇ１−Ｌ＋Ｇ２      … (２)
【００３６】
双方向通信システムでは、通常、第１の無線装置１００の送信出力Ｐｔ１と第２の無線装置１１０の送信出力Ｐｔ２は等しいので、上述の式(１)、式(２)式より、次式(３)が成り立つ。
Ｐｒ２＝Ｐｒ１                      … (３)
【００３７】
つまり、第１の無線装置１００から無線送信した無線変調信号を、第２の無線装置１１０にて受信する場合の受信電力Ｐｒ２と、第２の無線装置１１０から無線送信した無線変調信号を、第１の無線装置１００にて受信する場合の受信電力Ｐｒ１とが等しいことになる。この式(３)の関係から、第２の無線装置１１０で受信した無線変調信号の信号強度が、第１の無線装置１００が受信する無線変調信号の信号強度に等しい。したがって、第１の無線装置１００からの無線変調信号を第２の無線装置１１０で受信した無線変調信号の信号強度から第１の無線装置１００が受信信号判定を行うための閾値を決めることが可能になる。
【００３８】
(第２の実施の形態)
次に、図２に、この発明の第２実施形態としての無線装置２００を示す。この無線装置２００は、前述の第１実施形態の第１の無線装置１００の一例に相当する。
【００３９】
この無線装置２００は、無線変調信号を送受信するアンテナ２０１と、受信動作と送信動作を切り替える切り替えスイッチ２０２と、アンテナ２０１で受信した無線変調信号を復調信号に変換すると共に上記受信した無線変調信号のレベルに応じた出力信号を出力する出力端子２０４を有する受信回路２０３と、送信信号を無線変調信号に変換してアンテナ２０１に送信する送信回路２０９とを備える。
【００４０】
また、この無線装置２００は、メモリ回路２０６と、送信回路２０９へ入力する送信信号を制御すると共に受信回路２０３からの復調信号を処理し、かつ、受信回路２０３から入力される復調信号が含む上記閾値信号による閾値情報をメモリ回路２０６に記憶させる制御部としてのＣＰＵ(中央演算装置)２０５とを備える。
【００４１】
また、この無線装置２００は、メモリ回路２０６から上記閾値信号による閾値情報が入力されると共に上記閾値情報をＤ/Ａ変換して基準信号を生成するＤ/Ａ回路２０７と、受信回路２０３の出力端子２０４からの出力信号とＤ/Ａ回路２０７からの基準信号とを比較して、この比較結果を表す判定信号をＣＰＵ２０５に出力するコンパレータ２０８を有する。ＣＰＵ２０５は、この判定信号に基づいて受信回路２０３が受信した無線変調信号が受信すべき信号か否かを判定する。
【００４２】
この無線装置２００は、図２に示すように、アンテナ２０１から受信した無線変調信号は、切り替えスイッチ２０２を介して受信回路２０３に入力され、受信回路２０３によって復調信号に変換される。この変換された復調信号は、ＣＰＵ２０５に送られ、このＣＰＵ２０５で復調信号から閾値信号による閾値情報が取り出され、メモリ回路２０６に記憶,保持される。
【００４３】
以降、受信動作時に出力端子２０４からの出力信号と、メモリ回路２０６に記憶,保持された閾値情報をＤ/Ａ回路２０７によりアナログ信号に変換した信号である基準信号とをコンパレータ２０８に入力し、上記出力信号と基準信号とをコンパレータ２０８で比較する。ここで、出力端子４の出力信号の強度が、Ｄ/Ａ回路２０７で変換した基準信号の強度よりも低ければ、コンパレータ２０８の判定信号がＬ(Ｌｏｗ)レベルとなる。すると、ＣＰＵ２０５は、受信信号(受信回路２０３に入力された無線変調信号)は希望する通信相手からの信号ではないと判定する。一方、出力端子２０４からの出力信号の強度が上記基準信号の強度よりも高ければ、コンパレータ８の出力がハイとなり、ＣＰＵ２０５は受信信号が希望する通信相手であると判定することが可能になる。
【００４４】
(第３の実施の形態)
図３に、この発明の第３実施形態に係る無線装置を示す。この無線装置３１０は、第１実施形態の第２の無線装置１１０の一例に相当する。
【００４５】
この無線装置３１０は、無線変調信号を送受信するアンテナ３０１と、受信動作と送信動作を切り替える切り替えスイッチ２０２と、無線変調信号を受信して復調信号に変換する受信回路３０３と、送信信号を無線変調信号に変換し送信する送信回路３０９とを備える。受信回路３０３は、受信した無線変調信号のレベルに応じた出力信号を出力する出力端子３０４を有する。
【００４６】
また、この無線装置３１０は、受信回路３０３が出力端子３０４から出力する出力信号に基づいて閾値信号を生成する閾値計算回路３１１と、送信回路３０９へ入力する送信信号を制御すると共に受信回路３０３からの復調信号を処理する制御部としてのＣＰＵ３０５を備える。このＣＰＵ３０５は、受信回路３０３の出力端子３０４からの出力信号が入力されると共にこの出力信号を閾値計算回路３１１に入力する。また、このＣＰＵ３０５は、閾値計算回路３１１が生成した閾値信号を送信回路３０９に出力する。
【００４７】
この第３実施形態の無線装置３０５では、図３に示すように、アンテナ３０１から受信した無線変調信号が切り替えスイッチ３０２を介して受信回路３０３に入力され復調信号に変換されて、ＣＰＵ３０５に入力される。また、ＣＰＵ３０５には、受信信号の強度を表す出力信号が出力端子３０４から入力され、ＣＰＵ３０５から閾値計算回路３１１に上記出力信号が送られる。閾値計算回路３１１では、所定の演算処理により、上記出力信号が閾値信号に変換される。この閾値信号は、ＣＰＵ３０５を介して送信回路３０９に送られ、無線変調信号に変換されて、切り替えスイッチ３０２を経由し、アンテナ３０１から送信される。
【００４８】
ここで、図４Ａを参照して、閾値計算回路３１１が、入力された出力信号が表す受信信号レベルから閾値信号による閾値を決める一例を説明する。図４Ａに示す受信入力レベルＰｒ２は、平均受信信号レベルに等しいと仮定している。受信入力レベルは、伝送路の状態により変動するので、その変動分の最大値をΔＭとすると、最低受信入力レベルＰｒｍｉｎは、次式(４)で表せる。
Ｐｒｍｉｎ＝Ｐｒ２−ΔＭ        … (４)
【００４９】
この(４)式より、最低受信レベルＰｒｍｉｎの時の受信信号強度電圧が閾値電圧Ｖｔｈになる。
【００５０】
上記説明では、受信信号レベルＰｒ２が平均受信信号レベルに等しいと仮定したが、実際には異なっている場合が多い。受信信号レベルＰｒ２が平均受信信号レベルと異なるレベルである場合での閾値の決め方の一例を図４Ｂに示す。
【００５１】
図４Ｂでは、受信信号レベルＰｒ２が最大受信信号レベルＰｒｍａｘである場合の一例を示している。この場合、受信信号レベルＰｒ２から２×ΔＭだけマージンを取ったレベルＰｒｍｉｎの時の受信信号強度電圧Ｖｍｉｎを閾値電圧Ｖｔｈとすることで、最大受信信号レベルＰｒｍａｘの信号が入力された場合にも適切な閾値信号を生成でき、相手側の第１の無線装置による受信信号判別を誤らないようにすることができる。
【００５２】
すなわち、次式(５)から計算される最小受信信号レベルＰｒｍｉｎ時の受信信号強度電圧を閾値電圧Ｖｔｈとする。
Ｐｒｍｉｎ＝Ｐｒ２−２ΔＭ          … (５)
【００５３】
このことで、平均受信信号レベルと異なる最大受信信号レベルから閾値電圧Ｖｔｈを生成した場合でも適切な閾値信号を生成できる。よって、受信信号レベルの変動により最大受信信号が入力された場合にも適切な閾値信号を生成でき、相手側の第１の無線装置では、誤りのない受信信号の判定を行うことが可能になる。
【００５４】
(第４の実施の形態)
次に、図５に、この発明の第３実施形態に係る無線装置を示す。この無線装置４１０は、第１実施形態の第２の無線装置１１０の一例に相当する。
【００５５】
この無線装置４１０は、無線変調信号を送受信するアンテナ４０１と、受信動作と送信動作を切り替える切り替えスイッチ４０２と、アンテナ４０１で受信した無線変調信号を復調信号に変換すると共に受信した無線変調信号のレベルに応じた出力信号を出力する出力端子４０４を有する受信回路４０３を備える。
【００５６】
また、この無線装置４１０は、送信信号を無線変調信号に変換してアンテナ４０１に送信する送信回路４０９と、メモリ回路４０６と、入力された情報に基づいて上限閾値信号と下限閾値信号とを生成して出力する閾値計算回路４１１とを備える。また、この無線装置４１０は、送信回路４０９へ入力する送信信号を制御すると共に受信回路４０３からの復調信号を処理する制御部としてのＣＰＵ４０５を備える。このＣＰＵ４０５は、受信回路４０３の出力端子４０４から入力された出力信号から受信信号強度情報を生成してメモリ回路４０６に記憶させる。また、このＣＰＵ４０５は、メモリ回路４０６に所定の複数の受信信号強度情報を記憶させた時にメモリ回路４０６にアクセスして上記複数の受信信号強度情報を読み出して閾値計算回路４１１に入力する。また、このＣＰＵ４０５は、閾値計算回路４１１が上記複数の受信信号強度情報に基づいて生成した上限閾値信号と下限閾値信号を送信回路４０９に出力する。
【００５７】
この第４実施形態の無線装置４１０では、通信相手となる第１の無線装置から受信した複数の無線変調信号のレベルに応じた出力信号を受信回路４０３の出力端子から出力し、ＣＰＵ４０５はこの出力信号から受信信号強度情報を生成してメモリ回路４０６に記憶させる。そして、無線装置４１０が第１の無線装置から複数回受信することで、ＣＰＵ４０５は複数の受信信号強度情報をメモリ回路４０６に記憶させる。そして、閾値計算回路４１１は、メモリ回路に記憶された複数の受信信号強度情報に基づいて、上限閾値信号と下限閾値信号を生成する。
【００５８】
ここで、図６を参照して、閾値計算回路４１１が、複数の受信信号強度情報に基づいて、上限閾値信号と下限閾値信号を生成する一例を説明する。
【００５９】
図６に示すように、複数回の受信により、受信回路４０３の出力端子４０４からＣＰＵに入力される複数の出力信号が表す複数の受信信号レベルの最大値をＰｒｍａｘとし、最小値をＰｒｍｉｎとしている。
【００６０】
そして、この複数回の受信により、ＣＰＵ４０５が生成した受信信号強度電圧の内、最大値をＶｍａｘ、最小値をＶｍｉｎとすると、閾値計算回路４１１は下限閾値ＶｔｈＬを次式(６)により決定し、上限閾値ＶｔｈＨを次式(７)式より決定する。
ＶｔｈＬ＝Ｖｍｉｎ−(Ｖｍａｘ−Ｖｍｉｎ)/２     … (６)
ＶｔｈＨ＝Ｖｍａｘ＋(Ｖｍａｘ−Ｖｍｉｎ)/２      … (７)
【００６１】
この(６)、(７)式より閾値計算回路４１１が求めた上限閾値ＶｔｈＨ、下限閾値ＶｔｈＬは、図６に示すように、受信入力レベルＰｒｔｈＨ、受信入力レベルＰｒｔｈＬに対応しており、この受信入力レベルＰｒｔｈＨ〜ＰｒｔｈＬの範囲は、受信入力レベルの最小値Ｐｒｍｉｎから最大値Ｐｒｍａｘの範囲を含んでいる。したがって、この無線装置４１０からの上限閾値ＶｔｈＨ、下限閾値ＶｔｈＬによる閾値信号を受信した相手側の第１の無線装置は適切な受信信号判定を行うことが可能になる。
【００６２】
(第５の実施の形態)
次に、図７に、この発明の第５実施形態に係る無線装置を示す。この無線装置５１０は、第１実施形態の第２の無線装置１１０の一例に相当する。
【００６３】
この無線装置５１０は、前述の第４実施形態の無線装置４１０の変形例に相当し、アンテナ５０１,切り替えスイッチ５０２,送信回路５０９,受信回路５０４,閾値計算回路５１１,メモリ回路５０６,ＣＰＵ５０５はそれぞれ無線装置４１０のアンテナ４０１,切り替えスイッチ４０２,送信回路４０９,受信回路４０４,閾値計算回路４１１,メモリ回路４０６,ＣＰＵ４０５に相当する。したがって、この第５実施形態では、前述の第４実施形態と異なる点を主に説明する。
【００６４】
この無線装置５１０は、メモリ回路５０６からの下限閾値信号と下限閾値信号をＤ/Ａ変換して下限基準信号と上限基準信号を生成するＤ/Ａ回路５０７と、受信回路５０３の出力端子５０４から入力される出力信号とＤ/Ａ回路５０７から入力される下限基準信号および上限基準信号とを比較して、この比較結果を表す判定信号をＣＰＵ５０５に出力するコンパレータ５０８とを備える。
【００６５】
この第５実施形態では、ＣＰＵ５０５は、コンパレータ５０８から入力された判定信号に基づいて、受信回路５０４が受信した無線変調信号が受信すべき信号か否かを判定する。たとえば、出力端子５０４の出力信号の強度が、Ｄ/Ａ回路５０７で変換した下限基準信号の強度と上限基準信号の強度の範囲外である場合は、コンパレータ５０８の判定信号がＬ(Ｌｏｗ)レベルとなる。すると、ＣＰＵ５０５は、受信信号(受信回路５０４に入力された無線変調信号)は希望する通信相手からの信号ではないと判定する。一方、出力端子５０４からの出力信号の強度が上記範囲内である場合は、コンパレータ５０８の出力がハイとなり、ＣＰＵ５０５は受信信号が希望する通信相手であると判定することが可能になる。
【００６６】
ここで、図８Ａの配置模式図に、この実施形態の無線装置５１０に相当する第２の無線装置６１０、この第２の無線装置６１０が通信相手とすべき第１の無線装置６００、および、他の無線装置６２０,６３０の配置状態を示す。また、図８Ｂでは、符号(1)の点が、無線装置６２０からの受信信号による受信回路５０４の出力信号が表す受信入力レベルとこの受信入力レベルに対応する受信信号強度電圧を示している。また、符号(2)の点が、第１の無線装置６００からの受信信号による受信回路５０４の出力信号が表す受信入力レベルとこの受信入力レベルに対応する受信信号強度電圧を示している。また、符号(3)の点が、無線装置６３０からの受信信号による受信回路５０４の出力信号が表す受信入力レベルとこの受信入力レベルに対応する受信信号強度電圧を示している。
【００６７】
ここで、説明を簡単にするために、無線装置６２０および無線装置６３０の送信電力は、第１の無線装置６００の送信電力と同じとしている。
【００６８】
図８Ａに示すように、第２の無線装置６１０に対して、他の無線装置６２０が最も近く、次に、第１の無線装置６００が近く、無線装置６３０は第２の無線装置６１０から最も離れている。このため、第２の無線装置６１０における各無線装置６２０,６００,６３０からの受信入力レベルと受信信号強度電圧はそれぞれ、図８Ｂに(1)点,(2)点,(3)点で示すようになる。すなわち、他の無線装置６２０の受信信号強度電圧は、上限閾値ＶｔｈＨよりも高く、他の無線装置６３０の受信信号強度電圧は下限閾値ＶｔｈＬよりも低くなる。また、第１の無線装置６００の受信信号強度電圧は、下限閾値ＶｔｈＬよりも高く、上限閾値ＶｔｈＨよりも低くなる。
【００６９】
したがって、受信信号強度電圧Ｖｒが第１の無線装置６００に対応するものである場合は、下限閾値ＶｔｈＬに対して次式(８)を満たし、上限閾値ＶｔｈＨに対して次式(９)を満たす。つまり、受信すべき受信信号を受信している場合に次式(８),(９)の両方を満たす。一方、他の無線装置６２０,６３０からの受信信号を受信している場合は、次式(８),(９)のいずれか一方だけを満たす。
Ｖｒ≧ＶｔｈＬ            … (８)
Ｖｒ≦ＶｔｈＨ            … (９)
よって、受信信号判定の手順の一例としては、メモリ回路５０６から一定時間Ｄ/Ａ回路５０７に下限閾値信号を送り、この下限閾値信号をＤ/Ａ回路５０７で下限基準信号に変換してコンパレータ５０８に入力し、コンパレータ５０８では出力端子５０４からの出力信号と下限基準信号とを比較する。この比較の結果、出力信号の強度が下限基準信号の強度以下である場合に、コンパレータ５０８は例えばＨレベル信号をＣＰＵ５０５に出力し、ＣＰＵ５０５は上式(８)の条件が成立したことを確認する。次に、メモリ回路５０６から一定時間Ｄ/Ａ回路５０７に上限閾値信号を送り、この上限閾値信号をＤ/Ａ回路５０７で上限基準信号に変換してコンパレータ５０８に入力し、コンパレータ５０８では出力端子５０４からの出力信号と上限基準信号とを比較する。この比較の結果、出力信号の強度が上限基準信号の強度以下である場合に、コンパレータ５０８は例えばＨレベル信号をＣＰＵ５０５に出力し、ＣＰＵ５０５は上式(９)の条件が成立したことを確認する。
【００７０】
一方、上記出力信号の強度が下限基準信号の強度よりも小さい場合、または、上記出力信号の強度が上限基準信号の強度よりも大きい場合には、コンパレータ５０８はＣＰＵ５０５にＬレベル信号を出力し、ＣＰＵ５０５は受信信号が他の無線装置６３０または６２０からの無線変調信号であると判断する。
【００７１】
(第６の実施の形態)
図９は、この発明の第６実施形態に係る無線通信システムの構成図である。この第６実施形態の無線通信システムは、ｎ個(ｎは自然数)の第１の無線装置７００−１,７００−２,７００−３,７００−４, …,７００−ｎを備えると共に少なくとも１つの第２の無線装置７１０を備える。この無線通信システムでは、上記ｎ個の第１の無線装置７００−１〜７００−ｎと上記第２の無線装置７１０とが１対Ｎ(Ｎは自然数)型無線送受信を行う。
【００７２】
なお、このｎ個の第１の無線装置は前述の第１実施形態の第１の無線装置１００もしくは第２実施形態の第１の無線装置２００に対応している。また、この第２の無線装置７１０は前述の第５実施形態の第２の無線装置５１０に対応している。
【００７３】
そして、この第２の無線装置７１０は、上記ｎ個の第１の無線装置７００−１〜７００−ｎが記憶する複数の閾値信号が表す閾値のうちで最小の閾値を表す閾値信号を下限閾値信号とし、上記ｎ個の第１の無線装置７００−１〜７００−ｎが記憶する複数の閾値信号が表す閾値のうちで最大の閾値を表す閾値信号を上限閾値信号としている。
【００７４】
図９に示すように、この無線通信システムは１対Ｎ型通信を行うもので、１台の第２の無線装置７１０(一般的に基地局無線設備と呼ばれる)に対して、ｎ個の第１の無線装置７００−１〜７００−ｎ(一般的に子局無線設備と呼ばれる)が無線通信を行う。この第６実施形態では、仮に、第２の無線装置７１０が１つの第１の無線装置が記憶する閾値信号のみに基づいて受信信号判定した場合には、他の第１の無線装置と無線通信ができなくなる場合が生じる。例えば、仮に、基地局である第２の無線装置７１０が子局２である第１の無線装置７００−２からの受信信号に基づいて閾値を決めた場合、子局２からの受信信号に基づいて決まる下限閾値と上限閾値の範囲外の閾値に対応する子局４,子局ｎからの受信信号を受信すべき信号であると判定しなくなる。この場合、基地局である第２の無線装置７１０が受信すべき信号と判定する範囲は、図９に斜線で示した領域に存在する子局である無線装置７００−１,７００−２,７００−３等に限られる。
【００７５】
これを回避するために、この実施形態の無線通信システムでは、以下に説明する方法を採用している。すなわち、子局ｎである無線装置７００−(ｉ)が記憶している下限閾値をＶｔｈＬ(ｉ)、上限閾値をＶｔｈＨ(ｉ)とする。ここで、(ｉ)は１からｎまでのｎ個の子局１〜ｎに対応する。また、第２の無線装置７１０が有するメモリ回路５０６には子局と通信する毎に、その子局が記憶している下限閾値と上限閾値を記憶,保持していく。そして、第２の無線装置７１０では、その下限閾値を次式(１０)により決め、上限閾値を次式(１１)式により決める。なお、次式(１０)において、ｍｉｎ{}は{}内の最小値を表し、ｍａｘ{}は{}内の最大値を表している。
ＶｔｈＬ＝ｍｉｎ{ＶｔｈＬ１,ＶｔｈＬ２, … ,ＶｔｈＬｎ}  … (１０)
ＶｔｈＨ＝ｍａｘ{ＶｔｈＨ１,ＶｔｈＨ２, … ,ＶｔｈＨｎ}  … (１１)
【００７６】
この(１０),(１１)式によって、第２の無線装置１１０がメモリ回路５０６に記憶する下限閾値と上限閾値を決めることで、１からｎの全ての子局との通信において、受信信号を受信すべき信号であると判定することが可能になる。
【００７７】
(第７の実施の形態)
次に、図１０に、この発明の第７実施形態に係る無線装置を示す。この第７実施形態の無線装置は、ＣＰＵ２０５から受信回路２０３の電源制御が行われる点だけが、図２に示した第２実施形態の無線装置２００と異なる。よって、この第７実施形態では、第２実施形態と異なる点を説明する。
【００７８】
この第７実施形態では、ＣＰＵ２０５が、コンパレータ２０８からの判定信号に基づいて受信回路２０３が受信した無線変調信号が受信すべき信号ではないと判断した場合、ＣＰＵ２０５は制御信号を受信回路２０３に出力し、受信回路２０３の電源をオフする。よって、受信回路２０３が受信した無線変調信号が受信すべき信号ではない場合に、受信動作を停止でき、省電力化できる。
【図面の簡単な説明】
【００７９】
【図１】この発明の第１実施形態に係る無線通信システムの構成を示すブロック図である。
【図２】この発明の第２実施形態に係る無線装置の構成を示すブロック図である。
【図３】この発明の第３実施形態に係る無線装置の構成を示すブロック図である。
【図４Ａ】受信入力レベルと受信信号強度電圧の関係を示す特性図である。
【図４Ｂ】受信入力レベルと受信信号強度電圧の関係を示すもう１つの特性図である。
【図５】この発明の第４実施形態に係る無線装置の構成を示すブロック図である。
【図６】受信入力レベルと受信信号強度電圧との関係を示す特性図である。
【図７】この発明の第５実施形態に係る無線装置の構成を示すブロック図である。
【図８Ａ】無線装置の配置例を示す図である。
【図８Ｂ】受信入力レベルと受信信号強度電圧との関係を示す特性図である。
【図９】この発明の第６実施形態に係る１対ｎ型無線通信システムの構成図である。
【図１０】この発明の第７実施形態に係る無線装置の構成を示すブロック図である。
【図１１】従来の無線装置の構成を示すブロック図である。
【符号の説明】
【００８０】
１,１０,２０１,３０１,４０１,５０１  アンテナ
２,２０２,３０２,４０２,５０２  切り替えスイッチ
１００Ａ,２０３,３０３,４０３,５０３  受信回路
２０４,３０４,４０４,５０４  出力端子
２０５,３０５,４０５,５０５  ＣＰＵ
２０６,４０６,５０６  メモリ回路
２０７,５０６  Ｄ／Ａ回路
２０８,５０８  コンパレータ
１１０Ｂ,２０９,３０９,４０９,５０９  送信回路
３１１,４１１,５１１  閾値計算回路
１００,２００  第１の無線装置
１１０,３１０,４１０,５１０  第２の無線装置
【図１】
2008148018.tif 000003
【図２】
2008148018.tif 000004
【図３】
2008148018.tif 000005
【図４Ａ】
2008148018.tif 000006
【図４Ｂ】
2008148018.tif 000007
【図５】
2008148018.tif 000008
【図６】
2008148018.tif 000009
【図７】
2008148018.tif 000010
【図８Ａ】
2008148018.tif 000011
【図８Ｂ】
2008148018.tif 000012
【図９】
2008148018.tif 000013
【図１０】
2008148018.tif 000014
【図１１】
2008148018.tif 000015